(57)【要約】【課題】様々な外径サイズのレフィルを安定して支持することができるとともに、このレフィルの抜けを防止することのできる棒状化粧料テスターを提供する。【解決手段】レフィル２４，２９を収容するレフィルホルダ２における筒状部２ｂの内周面２ｅの蓋部２ａ寄りに、この筒状部２ｂの長手方向に沿った複数のリブ２ｆ，２ｆ，・・・を設け、上記レフィルホルダ２の下端開口部２ｃに、その外周縁が当該レフィルホルダ筒状部２ｂの内周面２ｅに沿った形状で、かつ、その中央部に上記レフィル２４，２９の外筒２５外周面に沿った形状の貫通穴３ｄを有するアダプタ３を配設するとともに、上記レフィルホルダ２の各リブ２ｆの内周に、上記レフィル２４，２９の回動操作部２７ｂまたはハカマ部２９ａを回転不能に嵌合し、上記アダプタ３の貫通穴３ｄに、上記レフィル２４，２９の外筒２５を挿通して、これらレフィル２４，２９を、相対回転自在に収容する。【選択図】図１
2010193978.tif 000002
【特許請求の範囲】
【請求項１】
外筒とこの外筒の一端部の開口から突出する内筒の回動操作部との相対回転に伴って、上記外筒の他端部の繰出し口から、その内部に収容された棒状化粧料を繰り出すレフィルと、下端が開口する筒状部とこの筒状部の上端を蓋する蓋部とからなるレフィルホルダとを備え、上記レフィルホルダの下端開口から挿入されたレフィルを、その繰出し口が該レフィルホルダの下端開口面から突出した状態で保持する棒状化粧料テスターであって、上記レフィルホルダにおける蓋部寄りの筒状部内周面には、この筒状部の長手方向に沿ったリブが周方向に複数設けられ、これらのリブの内周に、上記レフィル内筒の回動操作部が回転不能状態で嵌入されているとともに、上記レフィルホルダの下端開口内には、その外周縁が当該レフィルホルダ筒状部の内周面に沿った形状で、かつ、その中央部に上記レフィルの外筒外周面に沿った形状の貫通穴を有するアダプタが圧入され、この貫通穴に上記レフィルの外筒が挿通されて回転自在に支持されていることを特徴とする棒状化粧料テスター。
【請求項２】
上記レフィルホルダの各リブが、上記蓋部に近づくにしたがって、その筒状部内周面からの突出量が漸次増大するテーパー状、または、その筒状部内周面からの突出量が段階的に増大する階段状に形成されている請求項１記載の棒状化粧料テスター。
【請求項３】
上記レフィルホルダの下端開口の縁部に、切り欠きが設けられ、上記アダプタの外周縁に、該切り欠きと係合する係合部が延設されている請求項１または２記載の棒状化粧料テスター。
【発明の詳細な説明】
【技術分野】
【０００１】
本発明は、店頭等に展示され、口紅，リップクリーム等の棒状化粧料を繰り出して試用するためのテスターに関するものである。
【背景技術】
【０００２】
従来から、口紅等、棒状化粧料の色見本品を店頭等で展示する際には、図３に示すように、レフィルホルダ２２の上側に色見本２１（ダミーや色板，シール等）が取り付けられ、その下側に試供用の筒状カートリッジ（試供品用のレフィル２４）が配設されたテスター２０を各色ごとに用意し、これらを、上面に多数のテスター挿入穴３０ａが設けられた展示台３０に並べて展示する方法が用いられている（特許文献１〜２等を参照）。
【０００３】
図４に、試供品用レフィル（あるいはリフィル：ｒｅｆｉｌｌ）２４の構成の一例を示す。
この試供品用レフィル２４は、外筒２５と、らせん状の溝を有する螺旋筒２６と、長手（軸）方向の案内溝を有する小径のガイド部２７ａおよび大径の回動操作部２７ｂからなる内筒（案内筒２７）と、外周に上記案内溝と係合する突起を有する繰出筒２８とから構成されており、筒状体として組み立てられた状態で、上記外筒２５と、この外筒２５の下部からハカマ状に露出する上記案内筒２７の回動操作部２７ｂとを相対回転させることにより、上記繰出筒２８に下端部を保持された棒状化粧料を、筒状体の軸方向に昇降させることができる（特許文献３，４等を参照）。
【０００４】
図５は、従来の棒状化粧料テスター（口紅テスター２０）の概略構成図であり、図６は、この口紅テスター２０における詳細な断面図である。なお、図３，図４と同様の機能を有する構成部材には同じ符号を付して、その詳細な説明を省略する。
図６（ａ）のように、上記試供品用レフィル２４は、その筒状体の開口（棒状化粧料の繰出し口）を下に向けた状態でアダプタ２３に嵌入され、このアダプタ２３ごとレフィルホルダ２２の下端開口から押し込まれて、上記レフィルホルダ２２の内側に下向きに保持されている。なお、アダプタ２３の内周（筒部の上方奥側）には、上記案内筒２７の回動操作部２７ｂのみを固定する複数のリブ２３ａが設けられており、このレフィル２４の回動操作部２７ｂのみが回転不能な状態で嵌合されているため、上記のようにレフィル２４がレフィルホルダ２２の内側に下向きに保持された際は、このレフィルホルダ２２および上記アダプタ２３と、上記レフィル２４の回動操作部２７ｂとが一体となって、上記外筒２５に対して相対回転する。
【０００５】
そして、ユーザーが試用する場合は、上記テスター２０を展示台３０から抜き出し、試供品用のレフィル２４を上に向け、その状態で、レフィル２４における上記レフィルホルダ２２から露出（突出）している部位（筒状カートリッジの外筒２５）と、レフィルホルダ２２とを相対回転させることにより、棒状化粧料を繰り出して、試し塗りを行なうことができるようになっている。
【０００６】
なお、上述のような口紅のテスター２０の展示方法では、テスター２０が長期間展示されると、試し塗りによって化粧料が使い尽くされたり、すり減って見栄えが悪くなったりする場合がある。その場合は、レフィル２４を新しいものと交換する必要があるが、試供品用のレフィル２４は販売促進用として限定生産されたものであるため、再入手がむずかしい。そこで、使用済みの試供品用レフィル２４に代えて、図５のように、市販品（商品）に用いられている筒状カートリッジ（市販品用のレフィル２９）を上記レフィルホルダ２２に差し替えて展示することが行われる。
【０００７】
ただし、市販品用のレフィル２９は、通常、その下部の回動操作部の周囲に、「ハカマ（袴）」と呼ばれる装飾用の筒状部材（以下「ハカマ部」という）２９ａが装着されており、上記試供品用レフィル２４の回動操作部２７ｂに相当するこのハカマ部２９ａの外径は、試供品用のレフィル２４より大径になっている。そのため、この市販品用レフィル２９をテスター２０に用いる場合は、図６（ｂ）のように、レフィルホルダ２２の下端開口からそのまま押し込んで固定するか、あるいは、別途専用のアダプタを介して固定する方法が採られる場合が多い。
【０００８】
なお、レフィルホルダ２２は、元々この市販品用レフィル２９を差し替えできるように設計されており、図６（ｂ）における符号２２ａは、上記市販品用レフィル２９のハカマ部２９ａを固定するために設けられているリブである。また、このリブ２２ａは、レフィルホルダ２２の筒状部内周面に、周方向に等間隔で複数設けられており、これらのリブ２２ａによって、上記市販品用レフィル２９のハカマ部２９ａは、試供品用レフィル２４（図６（ａ）参照）のようなアダプタ２３を用いることなく、レフィルホルダ２２に対して回転不能な状態で嵌合される。
【先行技術文献】
【特許文献】
【０００９】
【特許文献１】特開平８−１１７０６９号公報
【特許文献２】特開平９−３２２８２０号公報
【特許文献３】特開２００８−１８３２１１号公報
【特許文献４】特開２００６−２０４４１５号公報
【発明の概要】
【発明が解決しようとする課題】
【００１０】
ところで、従来、口紅等の棒状化粧料の商品（市販品）に用いられている筒状カートリッジ（市販品用レフィル）は、同一メーカー内における規格および使用部品の共通化・合理化の観点から、その外形形状のバリエーションが比較的少なく、上記ハカマ部２９ａ外形および外筒２５外径等が同じレフィルを使用した商品も多数流通していた。
【００１１】
ところが、昨今、他社商品および自社既存商品との差別化を図るべく、棒状化粧料の外装容器の高級化が進むにしたがって、商品に使用される市販品用レフィル２９にも、ハカマ部２９ａが多角形状のものや、外筒２５の途中に段部が形成されたもの等、これまでとは外周形状や外径が異なるタイプが登場してきている。
【００１２】
しかしながら、図６（ｂ）のような従来からの棒状化粧料テスター２０は、市販品用のレフィル２９を使用する場合、そのハカマ部２９ａをレフィルホルダ２２の筒状部内周面に設けられた各リブ２２ａの内周に直接嵌合して、この市販品用のレフィル２９を支持する構造のため、レフィル２９の外周形状の変更のたびに、上記レフィルホルダ２２の設計を変更しなければならないという手間が生じる。
【００１３】
また、上記レフィルホルダ２２は、レフィル２９の外径のばらつきによっては、上記ハカマ部２９ａとレフィルホルダ２２との嵌合が甘くなり、操作時にこのレフィル２９の相対回転がぶれたり、最悪の場合、このレフィル２９が下に抜け落ちてしまうおそれがあり、その改善が望まれている。なお、上記レフィル２４，２９のタイプ変更等によっても、棒状化粧料を収容するレフィル外筒２５の形状や径は、従来とほとんど変化していない。
【００１４】
本発明は、このような事情に鑑みてなされたもので、様々な外径サイズのレフィルを安定して支持することができるとともに、このレフィルの抜けを防止することのできる棒状化粧料テスターの提供をその目的とする。
【課題を解決するための手段】
【００１５】
上記の目的を達成するために、本発明は、外筒とこの外筒の一端部の開口から突出する内筒の回動操作部との相対回転に伴って、上記外筒の他端部の繰出し口から、その内部に収容された棒状化粧料を繰り出すレフィルと、下端が開口する筒状部とこの筒状部の上端を蓋する蓋部とからなるレフィルホルダとを備え、上記レフィルホルダの下端開口から挿入されたレフィルを、その繰出し口が該レフィルホルダの下端開口面から突出した状態で保持する棒状化粧料テスターであって、上記レフィルホルダにおける蓋部寄りの筒状部内周面には、この筒状部の長手方向に沿ったリブが周方向に複数設けられ、これらのリブの内周に、上記レフィル内筒の回動操作部が回転不能状態で嵌入されているとともに、上記レフィルホルダの下端開口内には、その外周縁が当該レフィルホルダ筒状部の内周面に沿った形状で、かつ、その中央部に上記レフィルの外筒外周面に沿った形状の貫通穴を有するアダプタが圧入され、この貫通穴に上記レフィルの外筒が挿通されて回転自在に支持されている棒状化粧料テスターを第１の要旨とする。
【００１６】
また、本発明は、そのなかでも、上記レフィルホルダの各リブが、上記蓋部に近づくにしたがって、その筒状部内周面からの突出量が漸次増大するテーパー状、または、その筒状部内周面からの突出量が段階的に増大する階段状に形成されている棒状化粧料テスターを第２の要旨とする。
【００１７】
また、本発明は、そのなかでも、特に、上記レフィルホルダの下端開口の縁部に、切り欠きが設けられ、上記アダプタの外周縁に、該切り欠きと係合する係合部が延設されている棒状化粧料テスターを第３の要旨とする。
【発明の効果】
【００１８】
本発明は、店頭等に展示され、口紅，リップクリーム等を繰り出して試用する棒状化粧料テスターにおいて、色々な形状と太さ（外径）が存在するレフィルの回動操作部（およびハカマ部）を、レフィルホルダの蓋部側内周に周方向等配に設けたリブの点（線）接触で支持するとともに、比較的外径形状と太さが一定し、従来からあまり形状の変化しない化粧料繰出し口近傍の外筒外周を、上記回動操作部の支持点から軸方向に離間して配置されたアダプタにより支持することによって、所期の目的を達成するものである。
【００１９】
すなわち、本発明の棒状化粧料テスターは、上記レフィルホルダにおける蓋部寄りの筒状部内周面に設けられたリブにより、相対回転の一方側部材であるレフィル内筒の回動操作部を支持するとともに、この相対回転の他方側部材である上記レフィルの外筒を、レフィルホルダの下端開口内に配設された、外周縁が当該レフィルホルダ筒状部の内周面に沿った形状で、かつ、その中央部に上記レフィルの外筒外周面に沿った形状の貫通穴が形成されたアダプタで支持することにより、種々の外径サイズの回動操作部を有するレフィルを安定して支持することが可能になる。
【００２０】
また、上記アダプタは、比較的細い形状の一定外径の外筒を有する試供品用レフィルを嵌合した場合、この外筒の相対回転の歳差運動（振れ回り）を防止する振れ止めとして機能するとともに、上記外筒（および上記貫通穴）より太い形状のハカマ部を有する市販品用レフィルを嵌合した場合は、先に述べた振れ止め作用に加え、この太径ハカマ部の段部端面が上記貫通穴の縁部に引っ掛かることによるレフィルの脱落防止効果を奏することができる。
【００２１】
したがって、本発明の棒状化粧料テスターは、試供品用レフィルあるいは市販品用レフィルのどちらを用いた場合でも、上記レフィルホルダとこれらレフィルとの相対回転を安定して支持することができる。また、特に、回動操作部側に太径のハカマ部を有する市販品用レフィルを嵌合した場合は、この市販品用レフィルの抜けによる落下等のトラブルを防止することができる。
【００２２】
そして、そのなかでも、上記レフィルホルダの各リブが、上記蓋部に近づくにしたがって、その筒状部内周面からの突出量が漸次増大するテーパー状、または、その筒状部内周面からの突出量が段階的に増大する階段状に形成されている場合は、このレフィルホルダの設計を変更することなく、色々な外周形状の回動操作部および様々な外径の回動操作部を有するレフィルを、同一のレフィルホルダで保持することが可能になる。
【００２３】
したがって、本発明の棒状化粧料テスターは、上記試供品用レフィルと市販品用レフィルの交換のように、レフィルの回動操作部のハカマの有無やこのハカマの形状に関わらず、レフィル外筒の外径が略同径でありさえすれば、種々の外周形状のレフィルを装着することができる。
【００２４】
また、それらのなかでも、特に、上記レフィルホルダの下端開口の縁部に、切り欠きが設けられ、上記アダプタの外周縁に、該切り欠きと係合する係合部が延設されているものは、このアダプタが上記レフィルホルダの下端開口部にしっかりと嵌合され、該アダプタのレフィルホルダに対する抜けの防止と回動防止がなされるとともに、上記レフィルの交換時には、このアダプタを簡単に取り外しすることが可能になる。
【００２５】
なお、上記アダプタがレフィルホルダの下端開口部に係合固定されていることは、上記レフィル外筒の相対回転をきちんと支持できるため、レフィルの振れ回り防止効果を確実に発揮させるうえでも好ましい。
【図面の簡単な説明】
【００２６】
【図１】（ａ）は、本発明の実施形態における棒状化粧料テスターに試供品用レフィルを装着した構成を示す断面図であり、（ｂ）は、同じく本発明の実施形態における棒状化粧料テスターに市販品用レフィルを装着した構成を示す断面図である。
【図２】（ａ）は本実施形態における棒状化粧料テスターからレフィルを除いた状態の断面図、（ｂ）はこの棒状化粧料テスターをレフィルホルダの下端開口側から見た図である。
【図３】口紅テスターの展示方法を説明する図である。
【図４】従来の口紅テスターに用いられる試供品用レフィルの構成例を示す組立図である。
【図５】従来の棒状化粧料テスターの構成例を示す組立図である。
【図６】（ａ）は、従来の棒状化粧料テスターに試供品用レフィルを装着した構成を示す断面図であり、（ｂ）は、同じく従来の棒状化粧料テスターに市販品用レフィルを装着した構成を示す断面図である。
【発明を実施するための形態】
【００２７】
つぎに、本発明の実施の形態を、図面にもとづいて詳しく説明する。ただし、本発明は、この実施の形態に限定されるものではない。また、店頭等で展示台３０（図３参照）に載置された状態（図示上下方向）を、そのまま上側および下側とし、棒状化粧料を収容するレフィル２４，２９の回転軸中心方向を内側、その反対方向を外側として説明する。なお、以下の図１，図２において、棒状化粧料を収容するレフィル２４，２９は、図４の従来例と同様の構成であるため、同じ符号を付記して、その説明を省略する。
【００２８】
本実施形態における棒状化粧料テスター１０は、口紅等、棒状化粧料の色見本品を店頭等で展示する際に用いられる口紅テスターであり、図１（ａ）のように、試供品用のレフィル２４と、四角筒状のレフィルホルダ２と、このレフィルホルダ２の下端開口部２ｃに配置されたアダプタ３と、上記レフィルホルダ２の上端蓋部２ａに取り付けられた色見本１とから構成されている。なお、上記テスター１０を構成する部材（部品）は、棒状化粧料を除き、すべて樹脂を用いて形成されている。また、試供品用レフィル２４内の棒状化粧料が使い尽くされてカートリッジを交換する場合は、図１（ｂ）のように、市販品用のレフィル２９が使用される。
【００２９】
上記レフィルホルダ２は、外周が多角筒状（本実施形態においては四角筒状）に形成された中空の部材であり、外周面２ｄおよび内周面２ｅを有する四角筒状の筒状部（周側壁）２ｂと、この筒状部２ｂの上端を蓋する蓋部２ａとからなる。また、上記筒状部２ｂの下端は開口部２ｃとして開放されているとともに、その筒状部２ｂの内周面２ｅにおける上記蓋部２ａ近傍（図示上側）には、図２（ａ）のように、この筒状部２ｂから内側に向かって突出する複数のリブ２ｆ，２ｆ，・・・が設けられている。なお、上記筒状部２ｂの下端開口部２ｃには、図２（ｂ）のように、後述するアダプタ３の係合部３ｃと係合する切り欠き２ｇ，２ｇが形成されている。
【００３０】
上記アダプタ３は、全体として底の浅い有天筒状であり、中央部に貫通穴３ｄをが設けられた天板３ａと、この天板３ａの縁部から延設された側部３ｂと、この側部３ｂの一部に設けられた係合部３ｃ，３ｃとからなる。この天板３ａは、図２（ｂ）のように、その外周縁が上記レフィルホルダ筒状部２ｂの内周面２ｅに沿った形状（本実施形態においては四角形状）で、かつ、その中央部に上記レフィル２４，２９の外筒２５外径に沿った形状の大きな貫通穴３ｄが形成されている。
【００３１】
また、上記アダプタ３の深さ（側部３ｂの上下方向高さ）は、図１（ｂ）のように市販品用レフィル２９を収納し、このアダプタ３をレフィルホルダ２の下端開口部２ｃに取り付けた際に、その貫通穴３ｄの縁部底面（図示上側の縁部）が、市販品用レフィル２９の外筒２５に設けられた段部（円周段部）２９ｂの端面に当接する深さに設計されており、上記市販品用レフィル２９の抜け止めとして機能するように構成されている。
【００３２】
なお、上記天板３ａの外周縁は、レフィルホルダ筒状部２ｂの内周面２ｅより若干大きな四角形状に形成されており、このアダプタ３をレフィルホルダ２の下端開口部２ｃに取り付ける際には、上記アダプタ３を押圧しながら圧入するようになっている。また、上記側部３ｂに設けられた係合部３ｃ，３ｃは、レフィルホルダ開口部２ｃの切り欠き２ｇ，２ｇにすっぽりと納まる形状に形成されており、このレフィルホルダ２に取り付けられた際にも、その外方に突出して邪魔になることがないように構成されている。そして、このアダプタ３は、上記係合部３ｃ，３ｃを引っ張ることにより、レフィルホルダ２から簡単に抜き取ることができる。
【００３３】
本実施形態における棒状化粧料テスター１０の特徴は、色々な外径サイズの回動操作部を有する、複数のタイプのレフィルに対応すべく、レフィルホルダ２の筒状部内周面２ｅから突出する複数のリブ２ｆ，２ｆ，・・・が、図２（ａ）のように、上記蓋部２ａに近づく（図示上側に行く）にしたがって、その筒状部内周面２ｅからの突出量が段階的に増大する階段状に形成されている点である。
【００３４】
また、本実施例においては、これら各リブ２ｆの段部によって、各リブ２ｆの内側縁部を繋いだ仮想開口径の大きな第１段（図中符号Ｆ１）と、仮想開口径が比較的小さな第２段（図中符号Ｆ２）とが構成されており、それぞれ、市販品用レフィル２９の回動操作部（ハカマ部２９ａ）に相当する径（図１（ｂ）参照）と、試供品用レフィル２４の回動操作部２７ｂに相当する径（図１（ａ）参照）に形成されている。
【００３５】
上記の構成により、本実施形態における棒状化粧料テスター１０は、棒状化粧料を繰出す際に相対回転させる一方側部材であるレフィル２４，２９の回動操作部２７ｂまたはハカマ部２９ａが、上記レフィルホルダ２の各リブ２ｆにより形成された段部Ｆ２または段部Ｆ１で支持され、この相対回転の他方側部材である上記レフィル２４，２９の外筒２５が、レフィルホルダ２の下端開口部２ｃに配設されたアダプタ３で支持されることにより、２種類のタイプのレフィル２４，２９を安定して収納することが可能になる。
【００３６】
また、この棒状化粧料テスター１０は、比較的細い形状の一定外径の外筒２５を有する試供品用レフィル２４を収納した場合、上記アダプタ３によりその外筒２５の相対回転の歳差運動（振れ回り）が防止されるとともに、比較的太い形状のハカマ部２９ａを有する市販品用レフィル２９を収納した場合は、先に述べた外筒２５の振れ止め効果に加え、このハカマ部２９ａの段部２９ｂ端面が、上記アダプタ３の貫通穴３ｄ縁部に引っ掛かることによるレフィル２９の抜け止め効果を奏することができる。
【００３７】
そして、本実施形態の棒状化粧料テスター１０は、上記試供品用レフィル２４と市販品用レフィル２９の交換のように、レフィル２４，２９の回動操作部のハカマの有無やこのハカマの形状に関わらず、レフィル外筒２５の外径が略同径でありさえすれば、種々の外周形状のレフィル２４，２９を装着することができる。
【００３８】
なお、上記実施例においては、試供品用レフィル２４と市販品用レフィル２９の２種のレフィルにのみ対応すべく、レフィルホルダ２の筒状部内周面２ｅから突出する各リブ２ｆを、蓋部２ａに近づくにしたがって突出量が段階的に増大する二段の階段状としたが、さらに多くの種類のレフィルに対応できるように、これら各リブ２ｆを多段状としてもよい。
【００３９】
また、これらリブ２ｆの周方向の本数も限定されたものではなく、すべてのリブ２ｆが一度に全部レフィルに当接する必要はない。例えば、レフィルの回動操作部の外周形状が、多角形状や楕円形状等の場合、同時に接触するリブ２ｆの本数は、周方向に３本以上あれば足りるため、嵌合予定のレフィルの外周形状に合わせて設定すればよい。
【００４０】
そして、これら各リブ２ｆを、上記蓋部２ａに近づくにしたがって、その筒状部内周面２ｅからの突出量が漸次増大するテーパー状（いわゆる無段階状）に形成すれば、さらに多くの径のレフィルに対応することや、円形とは異なる外周形状（多角形状や楕円形状等）を有するレフィルへの対応が容易になり、好ましい。
【００４１】
また、上記アダプタ３をレフィルホルダ２の下端開口部２ｃに固定する手段も、特に限定されるものではなく、上記ホルダ内周面への圧入の他、ホルダ外周面への係合・圧入や、その他の方法を用いてもよい。また、上記アダプタ３の形状も限定されるものではないが、このアダプタ３の取り外しが簡単になる点を考慮すると、上記アダプタ３のような凸状片（係合部３ｃ）を形成しておく方が、レフィルの交換が容易になって好ましい。
【００４２】
さらに、上記の実施形態では、アダプタ３をレフィルホルダ２に係合させる手段として、アダプタ３の係合部３ｃ，３ｃとレフィルホルダ２の切り欠き２ｇ，２ｇを例示したが、これらは逆の構成としてもよく、本発明におけるアダプタ３とレフィルホルダ２の間の係合手段は、これらの形状に合わせて適宜に変更すればよい。
【００４３】
また、レフィルホルダ２やアダプタ３および色見本１を構成する材料や、これらの形状も特に限定されず、レフィル２４，２９の内部に充填される棒状化粧料も、口紅の他、リップクリーム等、その他のスティック状化粧品でもよい。したがって、レフィルホルダ２の形状や、アダプタ３および色見本１の形状等は、その商品に合わせて適宜変更すればよい。
【産業上の利用可能性】
【００４４】
本発明は、店頭等に展示されてユーザーが試用することのできる口紅テスターやリップクリームテスター等、不特定多数の人が利用する可能性のある棒状化粧料のテスターに適する。
【符号の説明】
【００４５】
２  レフィルホルダ
２ａ  蓋部
２ｂ  筒状部
２ｃ  開口部
２ｅ  内周面
２ｆ  リブ
３  アダプタ
３ｄ  貫通穴
２４  試供品用レフィル
２７ｂ  回動操作部
２９  市販品用レフィル
２９ａ  ハカマ部
【図１】
2010193978.tif 000003
【図２】
2010193978.tif 000004
【図３】
2010193978.tif 000005
【図４】
2010193978.tif 000006
【図５】
2010193978.tif 000007
【図６】
2010193978.tif 000008